(57)【要約】【課題】ゴミの量が多い時や金属、ガラス瓶など重量のあるものを収容した時でも安定して収容することができ、ゴミ袋体を上方や側方から容易に取出すことができるので作業性に優れ、複数の構成要素を着脱自在に連結して様々な形状に組み立てて使用することができるので汎用性があり、容易に分解したり、積み重ねたりして運搬できるので取り扱いが簡便で、運搬時の荷台や保管場所のスペースを必要としない機能性、実用性に優れた枠式ゴミ袋体保持具を提供することを目的とする。【解決手段】略円形又は略半円形、略円弧状若しくはコ字状に形成されゴミ袋体が掛け止めされる掛け止め枠部と、掛け止め枠部の直径方向又は円弧若しくはコ字形の両端部にそれぞれ連設された支柱と、支柱間に連設された基部と、を備えている。【選択図】  図１
2005022785.tif 000002
【特許請求の範囲】
【請求項１】
略円形又は略半円形、略円弧状若しくはコ字状に形成されゴミ袋体が掛け止めされる掛け止め枠部と、前記掛け止め枠部の直径方向又は円弧若しくはコ字形の両端部にそれぞれ連設された支柱と、前記支柱間に連設された基部と、を有することを特徴とする枠式ゴミ袋体保持具。
【請求項２】
略円弧状に形成されゴミ袋体が掛け止めされる掛け止め枠部と、前記掛け止め枠部の円弧の両端部にそれぞれ連設された支柱と、前記支柱間に連設された基部と、を有する枠状立設体と、対向又は連設して配置された前記複数の枠状立設体の相接する前記支柱同士を着脱自在に接続する嵌脱部材と、を有することを特徴とする枠式ゴミ袋体保持具。
【請求項３】
当接部の上部及び／又は下部で外側へ屈曲して形成された支柱と、前記二本の支柱の上端に連設され略円弧状に形成されゴミ袋体が掛け止めされる掛け止め枠部と、前記支柱間の下端に連設された基部と、を有する枠状立設体と、対向して配置された前記枠状立設体の相接する前記支柱の前記当接部を着脱自在に接続する嵌脱部材と、を有することを特徴とする枠式ゴミ袋体保持具。
【請求項４】
前記掛け止め枠部と前記支柱及び／又は前記支柱と前記基部が互いに中空状の接続管によって接続されていることを特徴とする請求項１乃至３の内いずれか１項に記載の枠式ゴミ袋体保持具。
【請求項５】
前記掛け止め枠部と前記支柱の連設部及び／又は前記基部と前記支柱の連設部に形設された連架保持部と、対向又は連設して配置された複数の前記枠状立設体の対向する前記連架保持部を着脱自在に連架する連架部材と、を有することを特徴とする請求項２乃至４の内いずれか１項に記載の枠式ゴミ袋体保持具。
【請求項６】
前記掛け止め枠部、前記支柱、前記基部の内いずれか１以上に着脱自在又は回動自在に配設された連結用部材を有することを特徴とする請求項１乃至５の内いずれか１項に記載の枠式ゴミ袋体保持具。
【請求項７】
前記掛け止め枠部、前記支柱、前記基部の内いずれか１以上にゴミ袋体の所要部及び／又は前記連結用部材が着脱自在に取付けられる取付け部を有することを特徴とする請求項１乃至６の内いずれか１項に記載の枠式ゴミ袋体保持具。
【発明の詳細な説明】
【０００１】
【発明の属する技術分野】
本発明は、一般家庭や町内のゴミ収集拠点などにおいて、缶や瓶、ペットボトル、紙類、プラスチック類などの資源ゴミや建築現場などから出る各種廃棄物を収容する枠式ゴミ袋体保持具に関する。
【０００２】
【従来の技術】
従来、公民館や家庭用電化製品などの量販店などをはじめ町内に設けられたゴミ収集拠点に出される資源ゴミや不燃ゴミは、予め各家庭で分別され袋に収容された状態で持ち込まれるか、ゴミ収集拠点に用意された種類毎のプラスチック製や金属製の方形状のかごやコンテナなどの回収容器にその場で投入されて分別回収されている。
最近では、缶や瓶、ペットボトル、プラスチック類などを資源化するために分別種類が多様になり、収集拠点に多数のかごやコンテナなどの硬質容器や自立式のメッシュ地容器などの回収容器を置いて分別し、ゴミの種類毎に回収している。ゴミ収集時には、これらの回収容器からゴミを手で取出してゴミ収集車に移すか、ゴミ収集車上で回収容器をひっくり返すなどしてゴミを移すか、或いは回収容器ごとゴミ収集車に積み込むか、いずれかの方法により収集を行っている。
これらのゴミ収集車への積み込み作業やその後の処理場などでのゴミの積み下ろし、回収容器からの取出し、回収容器の再配付、ゴミ収集拠点への回収容器の設置及び片付けなどの作業の多くは人手に頼ったもので、多大な手間と労力がかかり、保管にも広い場所を必要とするという問題があった。
また、家庭においては、資源ゴミをゴミの回収日まで分別種類毎に貯めておくために複数の容器やゴミ袋を台所や物置などに置いておく必要があるが、設置場所をとり、容器やゴミ袋の開け閉め、分別種類毎の仕分けなどが煩雑になっているという問題があった。
更に、建築現場や構造物の解体現場など各種の廃棄物が出る現場においては、従来の焼却や埋め立てから、極力分別して資源として回収するよう改善されている。これらの現場では、回収用のゴミ袋を人手で保持して開口部を開くか、その手間を省くために、例えば、円筒形スタンドの上端環状部にゴミ袋の開口部周縁を折り返して掛け止めて、開口部から廃棄物を投入している。
しかし、ゴミ袋を掛け止めする円筒形スタンドは枠状に一体に成形されていて、上端環状部と下端環状部の間に３本乃至は４本の支柱が等間隔に配設された構造のため、ゴミ収集の際にゴミ袋が膨らんでいる場合には、上端環状部からも支柱と支柱の間からもゴミ袋を出し難くなるという問題を有しており、回収作業に手間を要していた。
また、従来の円筒形スタンドは折り畳むことや積み重ねることができないため、撤去や片付けに手間がかかり、運搬時の荷台のスペースや保管場所を広くとることが問題となっていた。
【０００３】
これらの問題点を解決するために、（特許文献１）には、「平面状を成す枠体の２つが、床几状の開脚折り畳みが可能な様に組み付けられ、開脚を折り畳む時には２つの枠材が入れ子となる様に形成されたゴミ袋用のスタンド」が開示されている。
（特許文献２）には、「廃材を収納可能とするゴミ袋の掛止用スタンドであって、主軸の左右に開閉自在に回動軸を取付け、この主軸と左右の回動軸の上端部に袋体の掛け止めを行う掛け鉤を付設し、左右の回動軸の閉状態下ではストッパー機能は停止され、左右の回動軸の開状態下ではストッパー機能が作動されるストッパー片を備えるゴミ袋の掛止用スタンド」が開示されている。
【０００４】
【特許文献１】
登録実用新案第３０３８２４０号
【特許文献２】
特開２００２−１７９２０１号
【０００５】
【発明が解決しようとする課題】
しかしながら、上記従来の技術では、以下のような課題を有していた。
（１）（特許文献１）では、ゴミ袋の底が接地しているので、開脚スタンドへの負荷が少なく、ガラス瓶など重量のあるものでも安定して収容できるとされているが、ゴミ袋が開脚スタンドの中に囲まれた状態になっているので、ゴミ袋が膨れると開脚スタンドにつかえてしまい、それを開放できるような構造も有していないため、開脚スタンドの上方はもとより、側方から取出すことも困難であるという課題を有していた。
また、ゴミ袋が定形的で膨らんだりしないような素材や仕立て方法でできているような場合でも、一旦、ゴミ袋を開脚スタンドの上端まで持ち上げなければならず、容易に取出すことができないという課題を有していた。
更に、ゴミ袋の底が接地しているので、開脚スタンドにかかる負担が軽減されているが、ゴミが多い時や瓶や紙などのように重たいものが多い時には、一定の負荷がかかることは避けられず、構造的に負荷が二つの枠体の軸着部の一点にかかるため、想定外の負荷が加わった場合には破損し易く、使用できなくなるという課題を有していた。
（２）（特許文献２）では、主軸と左右の回動軸の上端部に袋体の掛け止めを行う掛け鉤を付設しているが、これに用いるゴミ袋は予め開口部周縁に口紐を挿通した構成のもので、掛け鉤位置に対応するようにゴミ袋側に口紐出口を配しなければ使用できず、汎用性が低く実用性に欠け、スタンドの構造上、一部分でも破損すると全体が使用できなくなるという課題を有していた。
【０００６】
本発明は上記従来の課題を解決するもので、ゴミの量が多い時や金属、ガラス瓶など重量のあるものを収容した時でも安定して収容することができると共に、ゴミ袋体を上方や側方から容易に取出すことができ、作業性に優れ、複数の構成要素を着脱自在に連結して様々な形状に組み立てて使用することができるので汎用性があり、容易に分解したり、積み重ねたりして運搬できるので取り扱いが簡便で、運搬時の荷台や保管場所のスペースを必要としない機能性、実用性に優れた枠式ゴミ袋体保持具を提供することを目的とする。
【０００７】
【課題を解決するための手段】
上記課題を解決するために本発明の枠式ゴミ袋体保持具は、以下の構成を有している。
本発明の請求項１に記載の枠式ゴミ袋体保持具は、略円形又は略半円形、略円弧状若しくはコ字状に形成されゴミ袋体が掛け止めされる掛け止め枠部と、前記掛け止め枠部の直径方向又は円弧若しくはコ字形の両端部にそれぞれ連設された支柱と、前記支柱間に連設された基部と、を備えている構成を有している。
この構成により、以下のような作用を有する。
（１）枠式ゴミ袋体保持具が開放部を有する略円形又は略半円形、略円弧状若しくはコ字状に形成された掛け止め枠部を有するので、開放部からゴミ袋体の開口周縁部を外側に折り曲げて容易に取付けでき、収集場所に設置することができる。
（２）掛け止め枠部が略円形又は略半円形、略円弧状若しくはコ字状に形成され開放部を有するので、取付けたゴミ袋体の開口部を常に円形や半円状、ロ字状に開口させてゴミ袋体を保持して、容易にゴミを投入したり取出したりすることができるとともに、ゴミを収納したゴミ袋の開口周縁部を簡単に掛け止め枠部から取り外すことができ、また、取り外したゴミ袋を開放部から容易に取り出すことができる。
（３）掛け止め枠部を掛け止め枠部の直径方向又は円弧若しくはコ字形の両端部にそれぞれ連設された支柱と支柱間に連設された基部とで支持するので、一箇所に負荷が集中することがなく枠式ゴミ袋体保持具の破損を防止することができる。
（４）支柱が掛け止め枠部の直径方向又は円弧若しくはコ字形の両端部にそれぞれ連設されていることにより、支柱間が広く開口しており、ゴミ袋体がゴミで膨らんでも支柱などにつかえることがないので、前方や側方から容易に取外すことができ、重いゴミ袋体を持ち上げる必要がない。
（５）構成が簡単で枠状に形成されているので、製造が容易で工数がかからず、設備コストを低減することができると共に、軽量で取り扱い易く、運搬が容易で、ゴミの取出し、枠式ゴミ袋体保持具の回収、設置などを簡便に行うことができる。
（６）ゴミ袋体の上端部を掛け止め枠部に掛け止めし、ゴミ袋体を立設させて使用することができるので、設置面積に対して収容量を大きくして、狭い場所でも多種、大量のゴミを収容することができる。
【０００８】
ここで、枠式ゴミ袋体保持具の材質には鉄、アルミニウム、アルミニウム合金、ステンレスなどの金属やナイロン、ポリエチレンなどのプラスチック、ＦＲＰの他、鋼管の外周面にプラスチックを被覆したものなどが使用される。枠式ゴミ袋体保持具の各部を中実棒で作製する場合は、直径は約６ｍｍ〜２０ｍｍが好ましい。直径が６ｍｍより細くなるにつれ、剛性が不足して支柱が座屈したり、掛け止め枠部と支柱の連設部や基部と支柱の連設部が折れ曲ったりし、直径が２０ｍｍより太くなるにつれて、重量が増し、取り扱いが困難になる傾向があるのでいずれも好ましくない。また、枠式ゴミ袋体保持具の各部を中空のパイプで作製する場合は、外径は約１０ｍｍ〜２５ｍｍが好ましい。外径が１０ｍｍより細くなるにつれ、剛性が不足して支柱が座屈したり、掛け止め枠部と支柱の連設部や基部と支柱の連設部が折れ曲ったりし、外径が２５ｍｍより太くなるにつれて、重量が増し、取り扱いが困難になる傾向があるのでいずれも好ましくない。
また、掛け止め枠部や基部と支柱との連設部には円弧状や三角状などの連設張出し部を形成したり、支柱を補助して掛け止め枠部や基部と接続される補強部材や、支柱間を掛け止め枠部や基部と平行に円弧状に接続する水平補強部材を設けたりしてもよい。これにより、各部の強度を増してゴミの重量が増加したり、外力が加わったりした場合の変形や転倒を防止することができる。
尚、ゴミ袋体を前方や側方から取外すことができる支柱間の開口を一箇所だけ残し、掛け止め枠部と基部を接続する補助支柱を追加するようにしてもよい。これにより、ゴミ袋体の取付け、取外し作業を妨げることなく、枠式ゴミ袋体保持具の構造を強固にしてより確実に変形を防止することができる。
【０００９】
基部については他の部分よりも重い材質を用いてもよい。これにより、ゴミが収容されていない時やゴミがアルミニウムやペットボトルなど軽量な時に外力によって枠式ゴミ袋体保持具が移動したり、風で転倒したりするのを防ぐことができる。
また、基部の形状は掛け止め枠部と同様な略円形や略円弧状に限らず、方形状や台形状などにしてもよい。更に基部には補強用の基部補助部材を配設してもよい。これにより、設置時の安定性をより向上させることができる。特に、ゴミ袋体の底面を支持するように基部補助部材を配設した場合、枠式ゴミ袋体保持具を持ち上げてもゴミ袋体が落下することがなく、搬送やゴミの取出し作業を容易に行うことができる。
尚、基部が地面に接地する代わりに、支柱の下端が基部より下に突出するようにしたり、基部の底部に脚部を配設したりしてもよい。これにより、地面に対して滑り難く安定させることができ、予め地面に脚部を嵌入する孔を穿設しておけば、確実に移動や転倒を防止できる。更に、脚部にはゴム製やプラスチック製の滑り止めを設けることもできる。
【００１０】
本発明の請求項２に記載の枠式ゴミ袋体保持具は、略円弧状に形成されゴミ袋体が掛け止めされる掛け止め枠部と、前記掛け止め枠部の円弧の両端部にそれぞれ連設された支柱と、前記支柱間に連設された基部と、を有する枠状立設体と、対向又は連設して配置された前記複数の枠状立設体の相接する前記支柱同士を着脱自在に接続する嵌脱部材と、を備えた構成を有している。
この構成により、以下のような作用を有する。
（１）枠式ゴミ袋体保持具が枠状立設体で構成されているので、未使用時には重ねて嵩張らないようにして片付けることができ、広い保管場所を必要としない。
（２）枠式ゴミ袋体保持具が枠状立設体の組み合わせによって、容易に多様な形状や大きさに形成でき、特に、一体で複数のゴミ袋体が取付けられる構成にした場合、多種多様な資源ゴミの分別回収を簡便に行うことができる。
（３）対向又は連設して配置された複数の枠状立設体の相接する支柱同士を着脱自在な嵌脱部材によって接続した場合は、所定の嵌脱部材を取外すことにより、連設した枠状立設体の開放角度を自由に変更することができ、ゴミ袋体の取付け、取外しやゴミの取出し作業を容易に行うことができる。
（４）枠状立設体を着脱自在な嵌脱部材によって接続した場合は、組み立て、分解、折り畳みが容易で、枠式ゴミ袋体保持具の準備、設置、回収などを簡便に行うことができる。
（５）枠式ゴミ袋体保持具の連設部は二本の支柱によって支持されているので、剛性がありゴミの重量が増えても変形を防止できる。
（６）枠式ゴミ袋体保持具の一部が破損した場合でも、破損部の枠状立設体のみを簡単に分離、交換し、資源を無駄なく利用することができる。
【００１１】
ここで、嵌脱部材は金属、プラスチック、ゴムなどの材質によって形成される。嵌脱部材としては、連設された二つの円弧状断面を有する嵌脱部を二本の支柱に対して嵌めるもの、同様のものを二つ用いて支柱を両側から挟むようにして固定するもの、どちらか一方の支柱に対して回動自在に配設される円筒部とそれに連設され他方の支柱に嵌脱される断面が円弧状の嵌脱部を有するものが挙げられる。二つの嵌脱部材を用いて支柱を両側から挟むようにして固定する場合、螺着手段（ボルト等）で締め付けるようにしてもよいし、二つの部材を一端で回動可能に軸着して他端で係止するようにしてもよい。嵌脱部材をプラスチックで形成する場合は、二つの部材の一端を薄肉部を介して連設し回動自在に一体化することもできる。
尚、嵌脱部材の円弧部や円筒部の径は同一である必要はなく、異径に形成してもよい。これにより、支柱の直径が異なる枠状立設体同士であっても容易に連設して枠式ゴミ袋体保持具を組み立てることができる。
【００１２】
請求項３に記載の発明は、請求項１又は２に記載の枠式ゴミ袋体保持具であって、当接部の上部及び／又は下部で外側へ屈曲して形成された支柱と、前記二本の支柱の上端に連設され外側へ向けて円弧状に形成された掛け止め枠部と、前記支柱間の下端に連設された基部と、を有する枠状立設体と、対向して配置された前記枠状立設体の相接する前記支柱の前記当接部を着脱自在に接続する嵌脱部材と、を備えている構成を有している。
この構成により、請求項１又は２に記載の作用に加え、以下のような作用を有する。
（１）対向して配置された枠状立設体の相接する当接部同士を着脱自在な嵌脱部材によって接続するので、枠式ゴミ袋体保持具の組み立て、分解が容易で、ゴミ袋体が枠式ゴミ袋体保持具の外側に掛け止めされているので、ゴミ袋体の取付け、取外しやゴミの取出し作業を容易に行うことができる。
（２）枠式ゴミ袋体保持具の所定の嵌脱部材を取外すことにより、枠状立設体に分解し、同じ向きに段積して運搬や保管を行うことができるので、省スペース性に優れる。
（３）支柱の上部及び／又は下部が外側へ屈曲して形成されているので、設置時に安定してゴミ袋体を保持してゴミの回収を行うことができる。
ここで、枠状立設体の当接部間には水平な補強部材を配設し、対向して配置した枠状立設体の相接する補強部材を嵌脱部材などで接続することが好ましい。これにより、枠式ゴミ袋体保持具の剛性と設置時の安定性が増し、ゴミの重量が増えても変形を防止できる。
また、当接部にはフックなどを配設してもよい。これにより、小さなゴミ袋体を引っ掛けて簡単に保持して分別してゴミを回収することができる。
【００１３】
請求項４に記載の発明は、請求項１乃至３の内いずれか１項に記載の枠式ゴミ袋体保持具であって、前記掛け止め枠部と前記支柱及び／又は前記支柱と前記基部が互いに中空状の接続管によって接続されている構成を有している。
この構成により、請求項１乃至３の内いずれか１項に記載の作用に加え、以下のような作用を有する。
（１）掛け止め枠部や支柱、基部などに中空状の接続管を配設することにより、各部を容易に組み立て、分解することができる。
（２）各部を中空状の接続管によって接続するので、直線状や円弧状の単純な形状の部材の組み合わせで枠式ゴミ袋体保持具を構成することができ、部材の管理、製造や取り扱い、運搬が容易で工数を低減することができる。
（３）枠式ゴミ袋体保持具の一部が破損した場合は、破損部の部材のみを簡単に分離、交換し、資源を無駄なく利用することができる。
ここで、接続管の材質には鋼材などの金属やプラスチックなどが使用される。接続管は掛け止め枠部や支柱、基部など接続部位の形状に応じて、Ｌ型、Ｉ型、Ｔ型などの形状に形成される。接続管の内径は掛け止め枠部や支柱、基部などの外形よりも若干太くして各部材が挿通できるようにし、外形は約１３ｍｍ〜３０ｍｍに形成することが好ましい。接続管の外形が１３ｍｍより細くなるにつれ、接続管の肉厚が薄くなって十分な強度を確保できなくなり、３０ｍｍより太くなるにつれて、中空状に形成するのが困難となり、質量も重くなって取り扱い難くなる傾向があるので、いずれも好ましくない。
【００１４】
請求項５に記載の発明は、請求項２乃至４の内いずれか１項に記載の枠式ゴミ袋体保持具であって、前記掛け止め枠部と前記支柱の連設部及び／又は前記基部と前記支柱の連設部に形設された連架保持部と、対向又は連設して配置された複数の前記枠状立設体の対向する前記連架保持部を着脱自在に連架する連架部材と、を備えている構成を有している。
この構成により、請求項２乃至４の内いずれか１項に記載の作用に加え、以下のような作用を有する。
（１）掛け止め枠部と支柱の連設部及び／又は基部と支柱の連設部に連架保持部が形設され、対向又は連設して配置された複数の枠状立設体の対向する連架保持部が着脱自在な連架部材により連架されているので、所定の連架部材を取外すことにより、連設した枠状立設体の開放角度を自由に変更することができ、ゴミ袋体の取付け、取外しやゴミの取出し作業を容易に行うことができる。
（２）枠状立設体を着脱自在な連架部材によって接続しているので、組み立て、分解、折り畳みが容易で、枠式ゴミ袋体保持具の準備、設置、回収などを簡便に行うことができる。
（３）掛け止め枠部と支柱の連設部及び／又は基部と支柱の連設部が連架部材によって連架されているので、設置時の安定性が増し、剛性がありゴミの重量が増えても変形や転倒を防止できる。
【００１５】
ここで、連架保持部は連架部材が嵌入又は掛け止めされる孔部を有する略円形や略矩形の突起であり、予め掛け止め枠部や支柱、基部に一体に形設してもよいし、別部材で作製したものをフック状のもので掛け止めしたり、溶接や接着、ネジ止めなどにより取付けてもよい。連架部材としては、中実棒又は中空パイプの両端を折り曲げて連架保持部に嵌入するもの、中実棒又は中空パイプの両端に配設したフックを連架保持部に引っ掛けるもの、鎖状のものの両端をフックで連架保持部に引っ掛けるものなどが挙げられる。
連架保持部及び連架部材の材質には鉄、アルミニウム、アルミニウム合金、ステンレスなどの金属やＦＲＰなどのプラスチックが使用される。
また、連架部材はラッチ機構等を備えたものや螺合手段を備えた二重管などの構造により伸縮自在に形成してもよい。これにより、対向して配置した枠状立設体間の距離を容易に調節し、ゴミ袋体の大きさや回収するゴミの種類、量に合わせて枠式ゴミ袋体保持具を形成することができる。
更に、連架保持部及び連架部材を嵌脱部材と併用することにより、多様な形状の枠式ゴミ袋体保持具を形成できると共に、より強固に枠状立設体同士を結合して変形を防止することができる。
【００１６】
請求項６に記載の発明は、請求項１乃至５の内いずれか１項に記載の枠式ゴミ袋体保持具であって、前記掛け止め枠部、前記支柱、前記基部の内いずれか１以上に着脱自在又は回動自在に配設された連結用部材を備えている構成を有している。
この構成により、請求項１乃至５の内いずれか１項に記載の作用に加え、以下のような作用を有する。
（１）掛け止め枠部、支柱、基部の内いずれか１以上に着脱自在又は回動自在な連結用部材を有することにより、枠式ゴミ袋体保持具を積み重ねて連結させ、ゴミ収集拠点や保管場所を省スペース化できると共に、回収のための積み込み作業時や搬送途中に荷崩れせず、作業性を向上できる。
（２）連結用部材を有しているので、重量のあるゴミが収容された枠式ゴミ袋体保持具や連結された複数の枠式ゴミ袋体保持具を積み重ねたままクレーンやフォークリフトなどで吊り上げて、容易に移動や運搬作業を行うことができる。
（３）掛け止め枠部や支柱、基部に配設した連結用部材により、ゴミ袋体の所要部と連結して固定し、ゴミ袋体の形状を安定させて効率よくゴミを回収することができる。
（４）ゴミ袋体が連結用部材によって強固に取付けられるので、ゴミが収容された状態で容易に枠式ゴミ袋体保持具を移動することや、枠式ゴミ袋体保持具を傾けたり、ひっくり返したりして簡便にゴミを取出すことができ、作業性を向上させることができる。
【００１７】
ここで、連結用部材の形状としては、Ｌ字型やコの字型などのフックが二つ連結されたものや一方が該枠部や支柱、基部に回動自在に固定されたもので、枠式ゴミ袋体保持具を連結する場合は、一方を掛け止め枠部、支柱、基部に取付けたり固定しておき必要時に他方を連結する枠式ゴミ袋体保持具の掛け止め枠部、支柱、基部に掛け止めするか、それぞれの枠式ゴミ袋体保持具に取付けた連結用部材同士を掛け止めして連結することができる。尚、二つのフックは回転自在や伸縮自在に連結されていることが好ましい。これにより、フックの向きを自由に変えて掛け止めすることができ、連結時の自由度を増すことができる。また、連結用部材の取付け方法としては、直接、掛け止め枠部、支柱、基部に掛け止めしてもよいし、連架保持部に形成された孔部や掛止部に掛け止めするようにしてもよい。連結用部材の材質としては鉄、アルミニウム、アルミニウム合金、ステンレスなどの金属やＦＲＰなどのプラスチックが使用される。
なお、連結用部材は、枠式ゴミ袋体保持具を重ねたり、並べたりする際に互いを連結したり、クレーンやフォークリフトなどによる吊り上げに利用したりできるほか、ゴミ収集拠点の所定位置に配設された係止部などに掛け止めして、枠式ゴミ袋体保持具の移動や転倒を防止したり、重量のあるゴミが収容された枠式ゴミ袋体保持具を係止部を有するパレットなどで搬送する際に基部とパレットを連結して転倒を防止することにも利用できる。
【００１８】
請求項７に記載の発明は、請求項１乃至６の内いずれか１項に記載の枠式ゴミ袋体保持具であって、前記掛け止め枠部、前記支柱、前記基部の内いずれか１以上にゴミ袋体の所要部及び／又は前記連結用部材を着脱自在に取付ける取付け部を備えた構成を有している。
この構成により、請求項１乃至６に記載の作用に加え、以下のような作用を有する。
（１）掛け止め枠部、支柱、基部の内いずれか１以上に取付け部を有するので、ゴミ袋体の開口周縁部や側部、底部などの所要部を枠式ゴミ袋体保持具に着脱自在に取付け、取外しでき、設置準備や片付けを簡便、かつ迅速に行うことができる。
（２）ゴミ袋体の開口部が掛け止め枠部の取付け部によって取付けられている場合、常に十分な開口を維持できるのでゴミの投入が容易で、ゴミの重さなどによってゴミ袋体が掛け止め枠部から滑り落ちるのを防止できる。
（３）ゴミ袋体が取付け部によって強固に取付けられるので、ゴミが収容された状態で容易に枠式ゴミ袋体保持具を移動することや、枠式ゴミ袋体保持具を傾けたり、ひっくり返したりして簡便にゴミを取出すことができ、作業性を向上させることができる。
（４）ゴミ袋体の側部や底部が支柱や基部の取付け部によって取付けられている場合、ゴミ袋体の形状を安定させ、無駄なく効率的にゴミを収容して設置スペースを小さくすることができる。
【００１９】
ここで、取付け部の形状としては、単なる矩形状や円弧状の突起や、矩形状や円弧状の突起に角孔や丸孔を有するもの、Ｌ字型やコの字型などのフック状に形成されたものなどが挙げられる。取付け部の材質としては鉄、アルミニウム、アルミニウム合金、ステンレスなどの金属やＦＲＰなどのプラスチックが使用される。取付け部は掛け止め枠部や支柱、基部と一体に形設してもよいし、別部材で作製したものを溶接や接着、ネジ止め、フックなどにより取付けてもよい。尚、取付け部は掛け止め枠部や基部と支柱との連設部に形設された連架保持部と兼用することもできる。
突起状の取付け部にはゴミ袋体に穿設された孔を引っ掛けて固定することができる。また、フック状に形成された取付け部の場合には、ゴミ袋体に穿設された孔を引っ掛けたり、ゴミ袋体に配設された紐や把持部を結び付けたりできる他、メッシュ状に形成されたゴミ袋体の任意の箇所を引っ掛けて容易に固定することができる。
また、角孔や丸孔を有する取付け部には、連結用部材を掛け止めしたり、紐やベルトなどの吊り手を取付けたりしてもよい。これにより、枠式ゴミ袋体保持具同士を連結したり、クレーンやフォークリフトなどで枠式ゴミ袋体保持具を吊り上げて移動させたりできる。
【００２０】
【発明の実施の形態】
以下、本発明の実施の形態について、図面を用いて説明する。
（実施の形態１）
図１は本発明の実施の形態１における枠式ゴミ袋体保持具を示す全体斜視図である。
図１中、１１は枠式ゴミ袋体保持具、１２ａは枠式ゴミ袋体保持具１１の上端に略半円弧状に形成された掛け止め枠部、１２ｂは掛け止め枠部１２ａの円弧の両端部にそれぞれ連設された支柱、１２ｃは支柱１２ｂ、１２ｂの下部一体に形成された半円弧状の基部、１２ｄは掛け止め枠部１２ａと支柱１２ｂ及び基部１２ｃと支柱１２ｂに連設し、前方に突出して形成された連設張出し部、１３は開口周縁部１３ａを折り返して掛け止め枠部１２ａに掛け止めされるポリエチレン製などのゴミ袋体である。支柱１２ｂ、１２ｂの間にゴミを収納したゴミ袋を横方向から取り出す開放部が形成されている。
枠式ゴミ袋体保持具１１は鉄、アルミニウム、アルミニウム合金、ステンレスなどの金属材やポリエチレンなどのプラスチック、ＦＲＰ、鋼管の外周面にプラスチックを被覆したものなどで作製した。
掛け止め枠部１２ａの長さは約４００ｍｍ〜１２００ｍｍ、支柱１２ｂの長さは約４００ｍｍ〜１０００ｍｍに形成した。
【００２１】
一般的な４５Ｌサイズのポリエチレン製ゴミ袋体を使用する場合、平面サイズは幅が６００ｍｍ前後、高さが７５０ｍｍ前後であるので、掛け止め枠部１２ａの長さを約７２０ｍｍ、支柱１２ｂの長さを約５００ｍｍに形成した枠式ゴミ袋体保持具１１を使用することにより、ゴミ袋体１３の底部が余裕をもって地面に接地し、掛け止め枠部１２ａからゴミ袋体１３が滑り落ちるのを防止できた。尚、掛け止め枠部１２ａの形状を劣弧とすることにより、同じ向きに重ねた時の嵩張りを小さくして収納性に優れる。
また、連設張出し部１２ｄを有するので、ゴミの重量が増加したり、外力が加わったりした場合の変形や転倒を防止すると共に、掛け止めしたゴミ袋体１３が掛け止め枠部１２ａから外れ難くしている。
更に、基部１２ｃについては他の部分よりも重い材質を連設してもよい。これにより、ゴミが収容されていない時やゴミがアルミニウムやペットボトルなど軽量な時に枠式ゴミ袋体保持具１１が風で移動したり、転倒したりするのを防ぐことができる。
【００２２】
以上のように構成された本発明の実施の形態１における枠式ゴミ袋体保持具について、その使用方法を説明する。
枠式ゴミ袋体保持具１１は家庭やゴミ収集拠点などに配置され、一般的なポリエチレン製のゴミ袋体１３の開口周縁部１３ａを折り返して掛け止め枠部１２ａに掛け止めされて使用される。
ゴミ袋体１３はポリエチレン製のほか、厚手の軟質プラスチック製やシート製、網製などのものを使用できる。シート製や網製のものを使用する場合、開口部に口紐やファスナーなどの開閉手段を有するものが好適である。口紐やファスナーなどを有することにより、掛け止め枠部１２ａに掛け止め後、開口部を口紐やファスナーで少し閉めることにより、確実に固定することができる。
尚、本実施の形態は半円弧状の掛け止め枠部で説明したが、コ字状に形成したものでも同様である。
【００２３】
以上のように本発明の実施の形態１における枠式ゴミ袋体保持具は構成されているので、以下のような作用を有する。
（１）枠式ゴミ袋体保持具が略円弧状に形成された掛け止め枠部を有するので、ゴミ袋体の開口周縁部を外側に折り曲げるだけで容易に取付けでき、収集場所に設置することができる。
（２）掛け止め枠部が略円弧状に形成されているので、取付けたゴミ袋体の開口部を常に半円状に開口させてゴミ袋体を保持して、容易にゴミを投入したり取出したりすることができる。
（３）掛け止め枠部を掛け止め枠部の円弧の両端部にそれぞれ連設された支柱と支柱間に連設された基部とで支持するので、一箇所に負荷が集中することがなく枠式ゴミ袋体保持具の破損を防止することができる。
（４）支柱が掛け止め枠部の円弧の両端部にそれぞれ連設張出し部により連設されているので、支柱間の開放部が広く開口しており、ゴミ袋体がゴミで膨らんでも支柱などにつかえることがなく、前方から容易に取外すことができ、従来のように重いゴミ袋体を枠体の上部に持ち上げる必要がない。
（５）構成が簡単で枠状に形成されているので、製造が容易で工数がかからず、設備コストを低減することができると共に、軽量で取り扱い易く、運搬が容易で、ゴミの取出し、枠式ゴミ袋体保持具の回収、設置などを簡便に行うことができる。
（６）ゴミ袋体の上端部を掛け止め枠部に掛け止めするので、ゴミ袋体を立設させて使用することができ、設置面積に対して収容量を大きくして、狭い場所でも多種、大量のゴミを収容することができる。
（７）掛け止め枠部や基部と支柱との連設部に連設張出し部を形成することにより、ゴミ袋体の掛け止めが使用中に外れ難く、各部の強度を増してゴミの重量が増加したり、外力が加わったりした場合の変形や転倒を防止することができる。
（８）使用後に複数の枠式ゴミ袋体保持具を同じ向きに重ねコンパクト化できるので、広い保管場所を必要とすることなく、容易に片付けることができる。
【００２４】
（実施の形態２）
本発明の実施の形態２における枠式ゴミ袋体保持具について、以下図面を用いて説明する。
図２は本発明の実施の形態２における枠式ゴミ袋体保持具を示す全体斜視図である。尚、実施の形態１と同様のものには同一の符号を付して説明を省略する。
図２において、実施の形態２における枠式ゴミ袋体保持具１１’が実施の形態１と異なるのは、掛け止め枠部１２ａ’と基部１２ｃ’の形状を略円形とし、支柱１２ｂが接近して平行に配設された点であり、使用方法は実施の形態１と同様である。
【００２５】
以上のように本発明の実施の形態２における枠式ゴミ袋体保持具は構成されているので、実施の形態１に記載の作用に加え、以下のような作用を有する。
（１）掛け止め枠部が略円形に形成されているので、ゴミ袋体の開口周縁部全体が強固に掛け止めされ、ゴミ袋体が大きく開口するので、容易にゴミを投入したり取出したりすることができる。
（２）支柱が掛け止め枠部の両端部で接近して連設されていることにより、枠式ゴミ袋体保持具の支柱のない前方や側方は掛け止め枠部と基部の間が広く開口しており、ゴミ袋体がゴミで膨らんでも支柱などにつかえることがないので、ゴミ収容後のゴミ袋体を前方や側方から容易に取外すことができ、重いゴミ袋体を持ち上げる必要がない。
【００２６】
（実施の形態３）
本発明の実施の形態３における枠式ゴミ袋体保持具について、以下図面を用いて説明する。
図３は本発明の実施の形態３における枠式ゴミ袋体保持具を示す全体斜視図である。尚、実施の形態１と同様のものには同一の符号を付して説明を省略する。
図３において、実施の形態３における枠式ゴミ袋体保持具２１が実施の形態１と異なるのは、掛け止め枠部１２ａの両端を結ぶ弦の位置に連設され閉じられた半円形を形成する補助掛け止め枠部１２ｅを備えた点と、基部２２ｃ’の形状を略円形とし、掛け止め枠部１２ａと基部２２ｃ’を接続する補助支柱２２ｅと、基部２２ｃ’に配設された基部補助部材２２ｆを備えた点であり、使用方法は実施の形態１と同様である。
【００２７】
以上のように本発明の実施の形態３における枠式ゴミ袋体保持具は構成されているので、実施の形態１に記載の作用に加え、以下のような作用を有する。
（１）補助掛け止め枠部１２ｅを有することにより、掛け止め枠部１２ａが閉じられた半円形に形成されているので、掛け止め枠部１２ａの強度が向上すると共に、ゴミ袋体の取付け時に開口周縁部全体を強固に掛け止めし、枠式ゴミ袋体保持具に安定して保持することができる。
（２）基部の形状が略円形に形成されているので、設置時に安定し転倒などを防止することができる。
（３）補助支柱２２ｅを有することにより、ゴミ袋体の取付け、取外し作業を妨げることなく、枠式ゴミ袋体保持具の構造を強固にしてより確実に変形を防止できる。
（４）基部補助部材２２ｆを有することにより、設置安定性をより向上させることができると共に、ゴミ袋体の底面を支持することができるので、枠式ゴミ袋体保持具を持ち上げてもゴミ袋体が落下することがなく、搬送やゴミの取出し作業を容易に行うことができる。
【００２８】
（実施の形態４）
本発明の実施の形態４における枠式ゴミ袋体保持具について、以下図面を用いて説明する。
図４は本発明の実施の形態３における枠式ゴミ袋体保持具を示す全体斜視図である。
図４中、３１は枠式ゴミ袋体保持具、３２ａは枠式ゴミ袋体保持具３１の上端に略円形又は略楕円形に形成された掛け止め枠部、３２ｂは支柱、３２ｃは略円形又は略楕円形の基部、３２ｇは掛け止め枠部３２ａの直径方向又は長径の両端部に配設され支柱３２ｂの上端及び下端に直交状に固定された短管からなり両端各開口部に掛け止め枠部３２ａ及び基部３２ｃの各端部が挿着固定された接続管、３２ｈは支柱３２ｂの上方及び下方側から各接続管３２ｇの対称位置に固定された補強部材、３３は開口周縁部３３ａを折り返して掛け止め枠部３２ａに掛け止めされるゴミ袋体、３３ｂはゴミ袋体３３の開口周縁部３３ａに配設された口紐、３３ｃは口紐止めである。
接続管３２ｇは鋼材などの金属やプラスチックで形成した。接続管３２ｇで各部を接続する場合、掛け止め枠部３２ａ及び／又は基部３２ｃは弾性を有するプラスチックなどで形成することが好ましい。これにより、掛け止め枠部３２ａ及び／又は基部３２ｃに外力が加わった場合に、接続管３２ｇにかかる力を軽減して破損を防止することができる。尚、枠式ゴミ袋体保持具３１は接続管３２ｇを用いずに一体的に形成することもできる。
開口周縁部３３ａに口紐３３ｂが配設されたゴミ袋体３３を使用した場合、口紐３３ｂを絞ることにより、掛け止め枠部３２ａへの固定を確実に行うことができる。更に、口紐３３ｂを支柱３２ｂに結び付けるなどしてより強固に固定することができる。ゴミが収容されたゴミ袋体３３を回収する際は、開口周縁部３３ａを掛け止め枠部３２ａから取外し、口紐３３ｂを絞って開口周縁部３３ａを閉じ、大きく開口している支柱３２ｂ、３２ｂの間から容易に取出すことができる。
【００２９】
以上のように本発明の実施の形態４における枠式ゴミ袋体保持具は構成されているので、実施の形態１乃至実施の形態３のうちいずれかに記載の作用に加え、以下のような作用を有する。
（１）掛け止め枠部が略円形又は略楕円形に形成されているので、ゴミ袋体の開口周縁部全体が強固に掛け止めされ、ゴミ袋体が大きく開口するので、容易にゴミを投入したり取出したりすることができる。
（２）掛け止め枠部や基部と支柱を補強する補強部材を有するので、各部の強度を増してゴミの重量が増加したり、外力が加わったりした場合の変形を防止することができる。
（３）掛け止め枠部や支柱、基部などに中空状の接続管を配設することにより、各部を容易に組み立て、分解しコンパクト化して収納でき、かつ、収納に場所を取らない。
（４）各部を中空状の接続管によって接続するので、直線状や円弧状の単純な形状の部材の組み合わせで枠式ゴミ袋体保持具を構成することができ、部材の管理、製造や取り扱い、運搬が容易で各工数を低減し低原価で量産することができる。
（５）枠式ゴミ袋体保持具の一部が破損した場合は、破損部の部材のみを簡単に分離、交換し、資源を無駄なく利用することができる。
【００３０】
（実施の形態５）
本発明の実施の形態５における枠式ゴミ袋体保持具について、以下図面を用いて説明する。
図５は本発明の実施の形態５における枠式ゴミ袋体保持具を示す全体斜視図である。
図５中、４１は枠式ゴミ袋体保持具、４２は対向して配置された枠状立設体、４２ａは枠状立設体４２の上端に外側へ向けて円弧状に形成された掛け止め枠部、４２ｂは掛け止め枠部４２ａの両端部にそれぞれ連設され中央より上側の当接部４２ｂ’で当接され当接部４２ｂ’の上下部で外側へ屈曲して形成された支柱、４２ｃは支柱４２ｂ、４２ｂ間に連設された基部、４２ｄは支柱４２ｂ、４２ｂの当接部４２ｂ’間を水平に接続する補強部材、４３は相接する当接部４２ｂ’、４２ｂ’及び補強部材４２ｄ、４２ｄを着脱自在に接続する嵌脱部材、４４は当接部４２ｂ’に配設されたフック状の取付け部であり、４５は開口周縁部４５ａを折り返して掛け止め枠部４２ａに掛け止めされる大型のゴミ袋体、４６は把持部４６ａを取付け部４４に掛け止めされる小型のゴミ袋体である。
図５において、嵌脱部材４３は金属、プラスチック、ゴムなどによって二つの円弧が連なった断面形状に形成され、二本の支柱に対して嵌脱される。
【００３１】
次に、嵌脱部材について説明する。
図６（ａ）乃至（ｄ）は嵌脱部材の例を示す全体斜視図である。
図６（ａ）、（ｂ）中、４３ａは同径、４３ｂは異径の円弧状に形成された二つの嵌脱部４３ａ’を有する嵌脱部材である。嵌脱部４３ａ’、４３ｂ’、４３ｂ”を相接する支柱４２ｂや補強部材４２ｄに嵌脱することにより、枠状立設体４２を容易に組み立てたり、分解したりできる。
図６（ｃ）中、４３ｃは円弧状に形成された嵌脱部４３ｃ’と円筒状に形成された回動部４３ｃ”を有する嵌脱部材である。枠状立設体４２の相接する支柱４２ｂや補強部材４２ｄの内、一方に回動部４３ｃ”を回動自在に嵌入し、他方に嵌脱部４３ｃ’を嵌脱することにより、図６（ａ）、（ｂ）の嵌脱部材４３ａ、４３ｂと同様に、容易に組み立てや分解を行うことができる。
図６（ｄ）中、４３ｄは同形の半円弧状に形成された二つの嵌脱部４３ｄ’を有する嵌脱部材である。嵌脱部材４３ｄは二つを一組として使用し、枠状立設体４２の相接する支柱４２ｂや補強部材４２ｄを両側から挟みボルト４３ｅで締め付けて連結することができる。嵌脱部４３ｄ’の径を変えたり、ボルトの締め付け力を調整することにより、枠状立設体４２を回動可能に連結したり、回動しないよう強固に固定したりできる。
以上のように構成された本発明の実施の形態５における枠式ゴミ袋体保持具について、その使用方法を説明する。
枠式ゴミ袋体保持具４１は家庭やゴミ収集拠点などに配置され、一般的なポリエチレン製など大型のゴミ袋体４５の開口周縁部４５ａを折り返して掛け止め枠部４２ａに掛け止めし、小型のゴミ袋体４６の把持部４６ａを取付け部４４に掛け止めして使用される。枠式ゴミ袋体保持具４１は２枚のゴミ袋体４５と４枚のゴミ袋体４６を取付けることができ、各々異なる種類のゴミを分別して収容することができる。
【００３２】
以上のように本発明の実施の形態５における枠式ゴミ袋体保持具は構成されているので、実施の形態１乃至４に記載の作用に加え、以下のような作用を有する。
（１）対向して配置された枠状立設体の相接する当接部同士を着脱自在な嵌脱部材によって接続するので、枠式ゴミ袋体保持具の組み立て、分解が容易で、ゴミ袋体が枠式ゴミ袋体保持具の外側に掛け止めされているので、ゴミ袋体の取付け、取外しやゴミの取出し作業を容易に行うことができる。
（２）枠式ゴミ袋体保持具の所定の嵌脱部材を取外すことにより、枠状立設体に分解し、同じ向きに段積みできるのでコンパクト化でき、運搬や保管にスペースをとらず、省スペース性に優れる。
（３）支柱の上下部が外側へ屈曲して形成されているので、設置時の安定性が優れる。
（４）枠状立設体の当接部間が水平な補強部材により補強され、嵌脱部材によって接続されているので、剛性と設置時の安定性が増し、ゴミの重量が増えても変形を防止できる。
【００３３】
（実施の形態６）
本発明の実施の形態６における枠式ゴミ袋体保持具について、以下図面を用いて説明する。
図７は本発明の実施の形態６における枠式ゴミ袋体保持具を示す全体斜視図である。
図７中、５１は枠式ゴミ袋体保持具、５２、５３は各々対向して配置された各一対の枠状立設体、５２ａ、５２ａは枠状立設体５２、５３の上端に対抗する内側（内向）へ円弧状に形成された掛け止め枠部、５２ｂ、５３ｂは掛け止め枠部５２ａ，５３ａの両端部にそれぞれ連設された支柱、５２ｃ、５３ｃは支柱５２ｂ、５２ｂ間や５３ｂ、５３ｂ間に連設され内向に形成された円弧状の基部、５４は相接する支柱５２ｂ、５３ｂを着脱自在に接続する嵌脱部材、５５は開口周縁部５５ａを折り返して掛け止め枠部５２ａ、５３ａに掛け止めされるゴミ袋体である。
図７において、枠式ゴミ袋体保持具５１は各々対向して配置された各一対の枠状立設体５２、５３の相接する支柱５２ｂ、５３ｂが嵌脱部材５４によって接続された堅牢な構成で、基部５２ｃ、５３ｃが連設しているので設置時の安定性があり、特に重いゴミなどを回収するのに適している。未使用時には嵌脱部材５４を取外すことにより容易に枠状立設体５２、５３に分解し、積み重ねて運んだり収納したりできる。
【００３４】
以上のように本発明の実施の形態６における枠式ゴミ袋体保持具は構成されているので、実施の形態１乃至５に記載の作用に加え、以下のような作用を有する。
（１）複数の枠状立設体を互いに支柱や基部が連設するように配置し着脱自在な嵌脱部材によって接続することにより、剛性があって変形し難く、設置時の安定性がある枠式ゴミ袋体保持具の組み立て、分解を容易に行うことができる。
（２）複数のゴミ袋体が枠式ゴミ袋体保持具の外周側に取付けられるので、ゴミ袋体の取付け、取外しが簡便で、容易にゴミの回収を行うことができる。
【００３５】
（実施の形態７）
本発明の実施の形態７における枠式ゴミ袋体保持具について、以下図面を用いて説明する。
図８は本発明の実施の形態７における枠式ゴミ袋体保持具を示す全体斜視図である。
図８中、６１は枠式ゴミ袋体保持具、６２は連設して配置された枠状立設体、６２ａは枠状立設体６２の上端に円弧状に形成された掛け止め枠部、６２ｂは掛け止め枠部６２ａの両端部にそれぞれ連設された支柱、６２ｃは支柱６２ｂ、６２ｂ間に連設された基部、６２ｄは掛け止め枠部６２ａと基部６２ｃとの間に配設された補助支柱、６２ｅは基部６２ｃの底部に配設された脚部、６２ｆは脚部６２ｅの先端に配設されたゴム製やプラスチック製の滑り止め、６２ｇは基部６２ｃが支柱６２ｂから外側に延設され端部に接続孔部を有する連架保持部、６２ｈは両端に形成した嵌入部６２ｉを連架保持部６２ｇの接続孔部に嵌入して連架された棒状の連架部材、６３は相接する支柱６２ｂを着脱自在に接続する嵌脱部材、６４は開口周縁部６４ａを折り返して掛け止め枠部６２ａ及び連架部材６２ｈに掛け止めされるゴミ袋体、６４ｂはゴミ袋体６４の開口周縁部６４ａに配設された口紐、６４ｃは口紐止めである。
【００３６】
図８において、連架保持部６２ｇは掛け止め枠部６２ａや支柱６２ｂ、基部６２ｃに一体に形設してもよいし、別部材で作製したものを溶接やネジ止めなどにより取付けてもよい。連架部材６２ｈとしては、両端を折り曲げた中実棒又は中空パイプの代わりに、中実棒又は中空パイプの両端に配設したフックを用いてもよい。
連架保持部６２ｇ及び連架部材６２ｈの材質には鉄、アルミニウム、アルミニウム合金、ステンレスなどの金属やプラスチック、ＦＲＰなどが使用される。
また、連架部材６２ｈを二重管などの構造により伸縮自在に形成し、枠状立設体間の距離を調節して、ゴミ袋体の大きさや回収するゴミの種類、量に合わせて枠式ゴミ袋体保持具を形成するようにしてもよい。
【００３７】
以上のように本発明の実施の形態７における枠式ゴミ袋体保持具は構成されているので、実施の形態１乃至６に記載の作用に加え、以下のような作用を有する。
（１）連架保持部及び連架部材を嵌脱部材と併用することにより、より強固に枠状立設体同士を結合して枠式ゴミ袋体保持具を形成しているので、設置時の安定性が増し、剛性がありゴミの重量が増えても変形や転倒を防止できる。
（２）連架部材を使用することにより、枠式ゴミ袋体保持具の側面に大きな開口を形成することができ、ゴミ袋体を持ち上げることなく、側方から容易に取外して回収することができる。
（３）掛け止め枠部と支柱の連設部及び基部と支柱の連設部に連架保持部が形設され、連設して配置された枠状立設体の対向する連架保持部が着脱自在な連架部材により連架されているので、連架部材を取外すことにより、連設した枠状立設体の開放角度を自由に変更することができ、ゴミ袋体の取付け、取外しやゴミの取出し作業を容易に行うことができる。
（４）枠状立設体を着脱自在な連架部材によって接続しているので、組み立て、分解、折り畳みが容易で、枠式ゴミ袋体保持具の準備、設置、回収などを簡便に行うことができる。
（５）基部にゴム製やプラスチック製の滑り止めを配設した脚部を有することにより、地面に対して滑り難く安定させることができ移動や転倒を防止できる。
【００３８】
（実施の形態８）
本発明の実施の形態８における枠式ゴミ袋体保持具について、以下図面を用いて説明する。
図９は本発明の実施の形態８における枠式ゴミ袋体保持具を示す全体斜視図である。
図９中、７１は枠式ゴミ袋体保持具、７２、７３は対向して配置された枠状立設体、７２ａ、７３ａは枠状立設体７２、７３の上端に円弧状に形成された掛け止め枠部、７２ｂ、７３ｂは掛け止め枠部７２ａ、７３ａの両端部にそれぞれ連設された支柱、７２ｃ、７３ｃは支柱７２ｂ、７２ｂ間及び支柱７３ｂ、７３ｂ間に連設された円弧状の基部、７２ｄは掛け止め枠部７２ａや基部７２ｃと支柱７２ｂを接続する補強部材、７２ｅ、７３ｅは基部７２ｃ、７３ｃに配設された基部補助部材、７３ｄは掛け止め枠部７３ａと基部７３ｃを接続する補助支柱、７３ｆは支柱７３ｂと補助支柱７３ｄを接続する水平補強部材、７３ｇは支柱７３ｂに配設されゴミ袋体の口紐や開口周縁部を引っ掛けるため先端側が下向きに形成された掛け止め補助フック、７４は相接する支柱７２ｂ、７３ｂを着脱自在に接続する嵌脱部材である。
図９において、枠状立設体７２、７３は直径が約７〜１９ｍｍの金属製若しくはプラスチック製の中実棒、又は直径が約１２〜２５ｍｍの金属製若しくはプラスチック製の中空パイプで形成し、掛け止め枠部７２ａ、７３ａで形成した枠式ゴミ袋体保持具７１の上端開口部の径は約４００ｍｍ〜１０００ｍｍとした。
ここでは、枠式ゴミ袋体保持具７１を形状の異なる枠状立設体７２、７３によって形成したが、同じものを二つ組み合わせてもよい。
【００３９】
以上のように本発明の実施の形態８における枠式ゴミ袋体保持具は構成されているので、実施の形態１乃至７に記載の作用に加え、以下のような作用を有する。
（１）掛け止め枠部や基部と支柱とを接続する補強部材や掛け止め枠部と基部を接続する補助支柱、支柱と補助支柱を接続する水平補強部材を有するので、ゴミが重い場合や外力が加わった場合の変形を防止できると共に、ゴミ袋体に配設された口紐や把持部、側部や底部に配設された紐などを結び付けることにより、ゴミ袋体の形状を安定させて効率よくゴミが収容でき、補助支柱や水平補強部材を把持して枠式ゴミ袋体保持具を傾けたり、ひっくり返したりして容易にゴミの回収を行うことができる。
（２）枠状立設体を嵌脱部材によって接続するだけで、収容量が多い枠式ゴミ袋体保持具を構成することができ、容易に分離して、洗浄、保管を行うことができる。
（３）支柱に掛け止め補助フックが配設されているので、ゴミ袋体の口紐や開口周縁部を引っ掛けてゴミ袋体の掛け止めをより強固にすることができる。
（４）枠状立設体の一方の側部に水平補強部材を配設していないので、側部からゴミ袋体を回収することができる。
【００４０】
（実施の形態９）
本発明の実施の形態９における枠式ゴミ袋体保持具について、以下図面を用いて説明する。
図１０は本発明の実施の形態８における枠式ゴミ袋体保持具を示す全体斜視図である。
図１０中、８１は枠式ゴミ袋体保持具、８２、８３は対向して配置された枠状立設体、８２ａ、８３ａは枠状立設体８２、８３の上端に円弧状に形成された掛け止め枠部、８２ｂ、８３ｂは掛け止め枠部８２ａ、８３ａの両端部にそれぞれ連設され当接部８２ｂ’、８３ｂ’の下部で外側に屈曲した支柱、８２ｃ、８３ｃは支柱８２ｂ、８３ｂ間に連設された基部、８２ｄ、８３ｄは支柱８２ｂ、８３ｂから延設され基部８２ｃ、８３ｃより突出した脚部、８２ｅ、８３ｅは脚部８２ｄ、８３ｄの先端に配設されたゴム製やプラスチック製の滑り止め、８４は基部８２ｃ、８３ｃ間に配設された略矩形状の基部補助枠、８５は支柱８２ｂ、８３ｂの当接部８２ｂ’と８３ｂ’及び基部８２ｃ、８３ｃと基部補助枠８４を着脱自在に接続する嵌脱部材であり、８６は開口周縁部８６ａを折り返して片側半分を掛け止め枠部８２ａ、８３ａに掛け止めされるゴミ袋体、８６ｂは開口周縁部８６ａに配設された吊り手、８６ｃはゴミ袋体８６の底部開口部、８６ｄは底部開口部８６ｃを開閉する口紐、８６ｅは口紐止めである。
図１０において、枠式ゴミ袋体保持具８１は掛け止め枠部８２ａ、８３ａの円弧が同じ向きで大きく外側に形成され配置された枠状立設体８２、８３の相接する支柱８２ｂ、８３ｂの当接部８２ｂ’、８３ｂ’を嵌脱部材８５によって接続すると共に、基部８２ｃ、８３ｃと基部補助枠８４を嵌脱部材８５によって接続した堅牢な構成であり、ゴム製やプラスチック製の滑り止め８２ｅ、８３ｅを配設された脚部８２ｄ、８３ｄを有しているので設置時の安定性がある。基部補助枠８４の材質には鉄、アルミニウム、アルミニウム合金、ステンレスなどの金属やプラスチック、ＦＲＰなどが使用される。
また、基部８２ｃ、８３は基部補助枠８４を配設することにより補強している。更に、枠式ゴミ袋体保持具８１の底部が開口しているので、ゴミ袋体８６にゴミを収容した時にゴミ袋体８６の底部が接地して枠式ゴミ袋体保持具８１へ荷重がかからない。
【００４１】
以上のように本発明の実施の形態９における枠式ゴミ袋体保持具は構成されているので、実施の形態１乃至８に記載の作用に加え、以下のような作用を有する。
（１）枠式ゴミ袋体保持具の基部が基部補助枠によって接続されていることにより、剛性があり設置時の安定性があるので、重量物を回収することができる。
（２）枠式ゴミ袋体保持具の前面にゴミ袋体が掛け止めされ、ゴミ袋体の手前に支柱等の部材が配設されていないので、前面からゴミ袋体を回収することができる。
（３）枠式ゴミ袋体保持具の底部が開口しているのでゴミ袋体の底部が接地して枠式ゴミ袋体保持具へ荷重がかからず、重量物の回収に好適に用いることができる。
【００４２】
（実施の形態１０）
本発明の実施の形態１０における枠式ゴミ袋体保持具について、以下図面を用いて説明する。
図１１は本発明の実施の形態１０における枠式ゴミ袋体保持具を示す全体斜視図であり、図１２は連結用部材の取付け状態を示す要部斜視図である。
図１１中、９１は枠式ゴミ袋体保持具、９２は対向して配置された枠状立設体、９２ａは枠状立設体９２の上端に円弧状に形成された掛け止め枠部、９２ｂは掛け止め枠部９２ａの両端部にそれぞれ連設された支柱、９２ｃは支柱９２ｂ、９２ｂ間に連設された円弧状の基部、９２ｄは掛け止め枠部９２ａと基部９２ｃを接続する補助支柱、９２ｅは支柱９２ｂと補助支柱９２ｄを接続する補強掛け止め部、９２ｆは略Ｆ字型に形成され掛け止め枠部９２ａ及び補強掛け止め部９２ｅと支柱９２ｂを接続する中空状の接続管、９２ｇは略Ｔ字型を縦に二つ連結した形に形成され掛け止め枠部９２ａ及び補強掛け止め部９２ｅと補助支柱９２ｄを接続する中空状の接続管、９２ｈは略Ｌ字型に形成され支柱９２ｂと基部９２ｃを接続する中空状の接続管、９２ｉは略Ｔ字型に形成され補助支柱９２ｄと基部９２ｃを接続する中空状の接続管、９２ｊは接続管９２ｆ、９２ｇの上部に配設され円弧状に形成された取付け部、９３は相接する支柱９２ｂ同士を接続管９２ｆ及び９２ｈを介して着脱自在に接続する嵌脱部材である。
【００４３】
掛け止め枠部９２ａと基部９２ｃを接続する補助支柱９２ｄ及び支柱９２ｂと補助支柱９２ｄを接続する補強掛け止め部９２ｅを有することにより、枠状立設体の構造を強固にしてより確実に変形を防止できる。また、掛け止め枠部９２ａに配設された接続管９２ｆに取付け部９２ｊを有することにより、ゴミ袋体の把持部などの所要部や、口紐を結び付けてゴミ袋体を固定することができる。更に、取付け部９２ｊには紐やベルトなどの吊り手を連結してもよい。これにより、人が吊り手を持って枠式ゴミ袋体保持具９１を持ち上げたり、クレーンなどで吊り上げたりして作業性を向上できる。尚、取付け部９２ｊは円弧状に限らず矩形状に形成してもよいし、Ｌ字型やコの字型などのフック状に形成してもよい。  また、取付け部９２ｊは接続管９２ｆと一体に形成したり、別部材で作製したものを溶接や接着、ネジ止め、フックなどにより取付けたりしてもよい。更に、取付け部９２ｊは掛け止め枠部９２ａに配設することもできる。
また、必要に応じて所定の嵌脱部材９３を取外し、枠状立設体９２を回動又は分離することにより、ゴミ袋体を持ち上げることなく枠式ゴミ袋体保持具９１から取外して回収することができる。
【００４４】
枠状立設体９２は各部材が接続管９２ｆ乃至９２ｉで接続されているので、容易に組み立て、分解及び交換などを行うことができる。
尚、本実施例においては二つの枠状立設体９２を嵌脱部材９３で連結して枠式ゴミ袋体保持具９１を形成する構造としたが、一体に形成することもでき、その場合には、図９に示した実施の形態８と同様に基部９２ｃには補強用の基部補助部材を配設してもよい。これにより、枠式ゴミ袋体保持具９１を持ち上げてもゴミ袋体が落下することがなく、搬送やゴミの取出し作業を容易に行うことができる。  また、嵌脱部材９３は接続管９２ｆ及び９２ｈ上でなく、支柱９２ｂ上に直接配設してもよい。
図１２中、９４は二つのフック状金具９４ａをゴムなどの弾性体からなる連結部９４ｂで接続した連結用部材、９５はメッシュ状のゴミ袋体である。
図１２において、連結用部材９４の一方に配設されたフック状金具９４ａを掛け止め枠部９２ａや基部９２ｃ、補強掛け止め部９２ｅなどに引っ掛け、他方のフック状金具９４ａをゴミ袋体９５の所要部に引っ掛けることにより、ゴミ袋体９５を枠式ゴミ袋体保持具９１に確実に固定することができる。尚、連結用部材９４は取付け部９２ｊに取付けることもできる。また、連結用部材９４を掛け止め枠部９２ａ等に回動自在に固定していてもよい。
【００４５】
以上のように本発明の実施の形態１０における枠式ゴミ袋体保持具は構成されているので、実施の形態１乃至９に記載の作用に加え、以下のような作用を有する。
（１）掛け止め枠部に取付け部を有するので、ゴミ袋体の開口周縁部を枠式ゴミ袋体保持具に着脱自在に取付け、取外しでき、設置準備や片付けを簡便、かつ迅速に行うことができる。
（２）ゴミ袋体の開口部が掛け止め枠部の取付け部によって取付けられているので、常に十分な開口を維持できるのでゴミの投入が容易で、ゴミの重さなどによってゴミ袋体が掛け止め枠部から滑り落ちるのを防止できる。
（３）ゴミ袋体が取付け部によって強固に取付けられるので、ゴミが収容された状態で容易に枠式ゴミ袋体保持具を移動することや、枠式ゴミ袋体保持具を傾けたり、ひっくり返したりして簡便にゴミを取出すことができ、作業性を向上させることができる。
【００４６】
（実施の形態１１）
本発明の実施の形態１１における枠式ゴミ袋体保持具について、以下図面を用いて説明する。
図１３は本発明の実施の形態１１における枠式ゴミ袋体保持具を示す全体斜視図である。
図１３中、１０１は枠式ゴミ袋体保持具、１０２は対向して配置された枠状立設体、１０２ａは枠状立設体１０２の上端に円弧状に形成された掛け止め枠部、１０２ｂは掛け止め枠部１０２ａの両端部にそれぞれ連設された支柱、１０２ｃは支柱１０２ｂ、１０２ｂ間に連設された円弧状の基部、１０２ｄは掛け止め枠部１０２ａと基部１０２ｃを接続する補助支柱、１０２ｅは基部１０２ｃの底部に配設された基部補助部材、１０２ｆは掛け止め枠部１０２ａに配設された取付け部、１０３は相接する支柱１０２ｂを着脱自在に接続する嵌脱部材である。
図１３において、枠式ゴミ袋体保持具１０１は対向して配置された枠状立設体１０２の相接する支柱１０２ｂが嵌脱部材１０３によって接続されており、掛け止め枠部１０２ａの径が基部１０２ｃの径よりも大きく形成されている。
【００４７】
図１４は以上のように構成された枠式ゴミ袋体保持具の使用状態を示す全体斜視図、図１５は図１４における連結用部材の拡大図である。
図１４及び図１５中、１０４は取付け部１０２ｆに配設された連結用部材、１０５は開口周縁部１０５ａを折り返して掛け止め枠部１０２ａに掛け止めされるゴミ袋体、１０５ｂはゴミ袋体１０５の開口周縁部１０５ａに穿設された掛け止め孔、１０５ｃは開口周縁部１０５ａに配設された口紐、１０５ｄは口紐止め、１０５ｅは下部取付け紐である。
【００４８】
図１４において、ゴミ袋体１０５は開口周縁部１０５ａに穿設された掛け止め孔１０５ｂから取付け部１０２ｆが突出するようにして掛け止め枠部１０２ａに掛け止めされると共に、開口周縁部１０５ａに配設された口紐１０５ｃを口紐止め１０５ｄで絞って固定され、下部取付け紐１０５ｅを支柱１０２ｂに結び付けられる。
図１５において、連結用部材１０４は二つのフック状金具１０４ａをゴムや金属材などからなる連結部１０４ｂで接続して形成され、一方に配設されたフック状金具１０４ａが取付け部１０２ｆに掛け止めされている。
図１６は枠式ゴミ袋体保持具の連結状態を示す全体斜視図である。
ゴミ袋体１０５を取付けられた一の枠式ゴミ袋体保持具１０１の基部１０２ｃとゴミ袋体１０５を取付けられた他の枠式ゴミ袋体保持具１０１の取付け部１０２ｆとを連結用部材１０４で連結することにより、二つの枠式ゴミ袋体保持具１０１を積み重ねるようにして固定している。これにより、ゴミ収集拠点や保管場所を省スペース化する。更に、積み重ねた最上段の取付け部１０２ｆに両端にフック部１０６ａを配設されたベルト１０６を取付けることにより、ゴミ袋体１０５が取付けられ連結された複数の枠式ゴミ袋体保持具１０１を積み重ねたままクレーンやフォークリフトなどで吊り上げて、容易に移動できるとともに集積場でそのまま下ろして段積みして保管することができる。
尚、枠式ゴミ袋体保持具１０１は単独でも使用することができる。その場合、図１６に示したベルト１０６等を取付けることにより、人手での取扱いが容易であり、枠式ゴミ袋体保持具１０１にゴミ袋体１０５を取付けた状態で移動させたり、収容されたゴミを排出したりする作業性に優れる。
【００４９】
以上のように本発明の実施の形態１１における枠式ゴミ袋体保持具は構成されているので、実施の形態１乃至１０に記載の作用に加え、以下のような作用を有する。
（１）連結用部材を有することにより、枠式ゴミ袋体保持具を積み重ねて連結させ、ゴミ収集拠点や保管場所を省スペース化できると共に、回収のための積み込み作業時や搬送途中に荷崩れせず、作業性を向上できる。
（２）連結用部材を有しているので、重量のあるゴミが収容された枠式ゴミ袋体保持具や連結された複数の枠式ゴミ袋体保持具を積み重ねたままクレーンやフォークリフトなどで吊り上げて、容易に移動や運搬作業を行うことができる。
（３）ゴミ袋体が取付け部によって強固に取付けられるので、ゴミが収容された状態で容易に枠式ゴミ袋体保持具を移動することができ、単独で使用する場合は枠式ゴミ袋体保持具を傾けたり、ひっくり返したりして簡便にゴミを取出すことができ、作業性を向上させることができる。
（４）枠式ゴミ袋体保持具が枠状立設体で構成され、掛け止め枠部が基部よりも大きく形成されているので、未使用時には重ねて嵩張らないように片付けることができ、広い保管場所を必要としない。
【００５０】
【発明の効果】
以上のように、本発明の枠式ゴミ袋体保持具によれば、以下のような有利な効果が得られる。
請求項１に記載の発明によれば、以下のような効果を有する。
（１）枠式ゴミ袋体保持具が略円形又は略半円形、略円弧状若しくはコ字状に形成された掛け止め枠部を有するので、ゴミ袋体の開口周縁部を外側に折り曲げるだけで容易に取付けでき、収集場所に設置することができる機能性、作業性に優れる枠式ゴミ袋体保持具を提供することができる。
（２）掛け止め枠部が略円形又は略半円形、略円弧状若しくはコ字状に形成されているので、取付けたゴミ袋体の開口部を常に円形や半円状、ロ字状に開口させてゴミ袋体を保持して、容易にゴミを投入したり取出したりすることができる取り扱い性に優れる枠式ゴミ袋体保持具を提供することができる。
（３）掛け止め枠部を掛け止め枠部の直径方向又は円弧若しくはコ字形の両端部にそれぞれ連設された支柱と支柱間に連設された基部とで支持するので、一箇所に負荷が集中することがなく枠式ゴミ袋体保持具の破損を防止することができる安全性、信頼性に優れる枠式ゴミ袋体保持具を提供することができる。
（４）支柱が掛け止め枠部の直径方向又は円弧若しくはコ字形の両端部にそれぞれ連設されていることにより、支柱間が広く開口しており、ゴミ袋体がゴミで膨らんでも支柱などにつかえることがないので、前方から容易に取外すことができ、重いゴミ袋体を持ち上げる必要がない機能性、信頼性、作業性に優れる枠式ゴミ袋体保持具を提供することができる。
（５）構成が簡単で枠状に形成されているので、製造が容易で工数がかからず、設備コストを低減することができると共に、軽量で取り扱い易く、運搬が容易で、ゴミの取出し、枠式ゴミ袋体保持具の回収、設置などを簡便に行うことができる機能性に優れる枠式ゴミ袋体保持具を提供することができる。
（６）ゴミ袋体の上端部を掛け止め枠部に掛け止めするので、ゴミ袋体を立設させて使用することができ、設置面積に対して収容量を大きくして、狭い場所でも多種、大量のゴミを収容することができる汎用性、機能性に優れる枠式ゴミ袋体保持具を提供することができる。
【００５１】
請求項２に記載の発明によれば、請求項１の効果に加え、以下のような効果を有する。
（１）枠式ゴミ袋体保持具が枠状立設体で構成されているので、未使用時には重ねて嵩張らないように片付けることができ、広い保管場所を必要としない省スペース性、機能性に優れる枠式ゴミ袋体保持具を提供することができる。
（２）枠式ゴミ袋体保持具が枠状立設体の組み合わせによって、容易に多様な形状や大きさに形成でき、特に、一体で複数のゴミ袋体が取付けられる構成にした場合、多種多様な資源ゴミの分別回収を簡便に行うことができる機能性、汎用性に優れる枠式ゴミ袋体保持具を提供することができる。
（３）対向又は連設して配置された複数の枠状立設体の相接する支柱同士を着脱自在な嵌脱部材によって接続した場合は、所定の嵌脱部材を取外すことにより、連設した枠状立設体の開放角度を自由に変更することができ、ゴミ袋体の取付け、取外しやゴミの取出し作業を容易に行うことができる作業性、機能性、汎用性に優れる枠式ゴミ袋体保持具を提供することができる。
（４）枠状立設体を着脱自在な嵌脱部材によって接続した場合は、組み立て、分解、折り畳みが容易で、枠式ゴミ袋体保持具の準備、設置、回収などを簡便に行うことができる取り扱い性、機能性、収納性に優れる枠式ゴミ袋体保持具を提供することができる。
（５）枠式ゴミ袋体保持具の連設部は二本の支柱によって支持されているので、剛性がありゴミの重量が増えても変形を防止できる安全性、信頼性に優れる枠式ゴミ袋体保持具を提供することができる。
（６）枠式ゴミ袋体保持具の一部が破損した場合でも、破損部の枠状立設体のみを簡単に分離、交換し、資源を無駄なく利用することができる取り扱い性、省資源性、汎用性に優れる枠式ゴミ袋体保持具を提供することができる。
【００５２】
請求項３に記載の発明によれば、請求項１又は２の効果に加え、以下のような効果を有する。
（１）対向して配置された枠状立設体の相接する当接部同士を着脱自在な嵌脱部材によって接続した場合は、枠式ゴミ袋体保持具の組み立て、分解が容易で、ゴミ袋体が枠式ゴミ袋体保持具の外側に掛け止めされているので、ゴミ袋体の取付け、取外しやゴミの取出し作業を容易に行うことができる作業性、機能性に優れる枠式ゴミ袋体保持具を提供することができる。
（２）枠式ゴミ袋体保持具の所定の嵌脱部材を取外すことにより、枠状立設体に分解し、同じ向きに段積して運搬や保管を行うことができる取り扱い性、搬送性、省スペース性に優れる枠式ゴミ袋体保持具を提供することができる。
（３）支柱の上部及び／又は下部が外側へ屈曲して形成されているので、設置時に安定してゴミ袋体を保持してゴミの回収を行うことができる。
【００５３】
請求項４に記載の発明によれば、請求項１乃至３の内いずれか１項の効果に加え、以下のような効果を有する。
（１）掛け止め枠部や支柱、基部などに中空状の接続管を配設することにより、各部を容易に組み立て、分解することができる生産性、メンテナンス性に優れる枠式ゴミ袋体保持具を提供することができる。
（２）各部を中空状の接続管によって接続するので、直線状や円弧状の単純な形状の部材の組み合わせで枠式ゴミ袋体保持具を構成することができ、部材の管理、製造や取り扱い、運搬が容易で工数を低減することができる生産性、搬送性に優れる枠式ゴミ袋体保持具を提供することができる。
（３）枠式ゴミ袋体保持具の一部が破損した場合は、破損部の部材のみを簡単に分離、交換し、資源を無駄なく利用することができるメンテナンス性、省資源性に優れる枠式ゴミ袋体保持具を提供することができる。
【００５４】
請求項５に記載の発明によれば、請求項２乃至４の内いずれか１項の効果に加え、以下のような効果を有する。
（１）掛け止め枠部と支柱の連設部及び／又は基部と支柱の連設部に連架保持部が形設され、対向又は連設して配置された複数の枠状立設体の対向する連架保持部が着脱自在な連架部材により連架されているので、所定の連架部材を取外すことにより、連設した枠状立設体の開放角度を自由に変更することができ、ゴミ袋体の取付け、取外しやゴミの取出し作業を容易に行うことができる作業性、機能性に優れる枠式ゴミ袋体保持具を提供することができる。
（２）枠状立設体を着脱自在な連架部材によって接続しているので、組み立て、分解、折り畳みが容易で、枠式ゴミ袋体保持具の準備、設置、回収などを簡便に行うことができる作業性、機能性、取り扱い性に優れる枠式ゴミ袋体保持具を提供することができる。
（３）掛け止め枠部と支柱の連設部及び／又は基部と支柱の連設部が連架部材によって連架されているので、設置時の安定性が増し、剛性がありゴミの重量が増えても変形や転倒を防止できる信頼性、堅牢性に優れる枠式ゴミ袋体保持具を提供することができる。
【００５５】
請求項６に記載の発明によれば、請求項１乃至５の内いずれか１項の効果に加え、以下のような効果を有する。
（１）掛け止め枠部、支柱、基部の内いずれか１以上に着脱自在又は回動自在な連結用部材を有することにより、枠式ゴミ袋体保持具を積み重ねて連結させ、ゴミ収集拠点や保管場所を省スペース化できると共に、回収のための積み込み作業時や搬送途中に荷崩れしない作業性、安全性、省スペース性に優れる枠式ゴミ袋体保持具を提供することができる。
（２）連結用部材を有しているので、重量のあるゴミが収容された枠式ゴミ袋体保持具や連結された複数の枠式ゴミ袋体保持具を積み重ねたままクレーンやフォークリフトなどで吊り上げて、容易に移動や運搬作業を行うことができる作業性、搬送性に優れる枠式ゴミ袋体保持具を提供することができる。
（３）掛け止め枠部や支柱、基部に配設した連結用部材により、ゴミ袋体の所要部と連結して固定し、ゴミ袋体の形状を安定させてゴミを回収することができる効率的で信頼性、取り扱い性に優れる枠式ゴミ袋体保持具を提供することができる。
（４）ゴミ袋体が連結用部材によって強固に取付けられるので、ゴミが収容された状態で容易に枠式ゴミ袋体保持具を移動することや、枠式ゴミ袋体保持具を傾けたり、ひっくり返したりして簡便にゴミを取出すことができる作業性、信頼性、取り扱い性に優れる枠式ゴミ袋体保持具を提供することができる。
【００５６】
請求項７に記載の発明によれば、請求項１乃至６の内いずれか１項の効果に加え、以下のような効果を有する。
（１）掛け止め枠部、支柱、基部の内いずれか１以上に取付け部を有するので、ゴミ袋体の開口周縁部や側部、底部などの所要部を枠式ゴミ袋体保持具に着脱自在に取付け、取外しでき、設置準備や片付けを簡便、かつ迅速に行うことができる信頼性、取り扱い性、収納性に優れる枠式ゴミ袋体保持具を提供することができる。
（２）ゴミ袋体の開口部が掛け止め枠部の取付け部によって取付けられている場合、常に十分な開口を保持して容易にゴミを回収できると共に、ゴミの重さなどによってゴミ袋体が掛け止め枠部から滑り落ちるのを防止できる信頼性、取り扱い性に優れる枠式ゴミ袋体保持具を提供することができる。
（３）ゴミ袋体が取付け部によって強固に取付けられるので、ゴミが収容された状態で容易に枠式ゴミ袋体保持具を移動することや、枠式ゴミ袋体保持具を傾けたり、ひっくり返したりして簡便にゴミを取出すことができる作業性、機能性に優れる枠式ゴミ袋体保持具を提供することができる。
（４）ゴミ袋体の側部や下部が支柱や基部の取付け部によって取付けられている場合、ゴミ袋体の形状を安定させ、無駄なく効率的にゴミを収容して設置スペースを小さくすることができる作業性、収納性、省スペース性に優れる枠式ゴミ袋体保持具を提供することができる。
【図面の簡単な説明】
【図１】本発明の実施の形態１における枠式ゴミ袋体保持具を示す全体斜視図
【図２】本発明の実施の形態２における枠式ゴミ袋体保持具を示す全体斜視図
【図３】本発明の実施の形態３における枠式ゴミ袋体保持具を示す全体斜視図
【図４】本発明の実施の形態４における枠式ゴミ袋体保持具を示す全体斜視図
【図５】本発明の実施の形態５における枠式ゴミ袋体保持具を示す全体斜視図
【図６】（ａ）嵌脱部材の例を示す全体斜視図
（ｂ）嵌脱部材の例を示す全体斜視図
（ｃ）嵌脱部材の例を示す全体斜視図
（ｄ）嵌脱部材の例を示す全体斜視図
【図７】本発明の実施の形態６における枠式ゴミ袋体保持具を示す全体斜視図
【図８】本発明の実施の形態７における枠式ゴミ袋体保持具を示す全体斜視図
【図９】本発明の実施の形態８における枠式ゴミ袋体保持具を示す全体斜視図
【図１０】本発明の実施の形態９における枠式ゴミ袋体保持具を示す全体斜視図
【図１１】本発明の実施の形態１０における枠式ゴミ袋体保持具を示す全体斜視図
【図１２】連結用部材の取付け状態を示す要部斜視図
【図１３】本発明の実施の形態１１における枠式ゴミ袋体保持具を示す全体斜視図
【図１４】枠式ゴミ袋体保持具の使用状態を示す全体斜視図
【図１５】図１４における連結用部材の拡大図
【図１６】枠式ゴミ袋体保持具の連結状態を示す全体斜視図
【符号の説明】
１１、１１’、２１、３１、４１、５１、６１、７１、８１、９１、１０１  枠式ゴミ袋体保持具
４２、５２、５３、６２、７２、７３、８２、８３、９２、１０２  枠状立設体
１２ａ、１２ａ’、３２ａ、４２ａ、５２ａ、５３ａ、６２ａ、７２ａ、７３ａ、８２ａ、８３ａ、９２ａ、１０２ａ  掛け止め枠部
１２ｂ、３２ｂ、４２ｂ、５２ｂ、５３ｂ、６２ｂ、７２ｂ、７３ｂ、８２ｂ、８３ｂ、９２ｂ、１０２ｂ  支柱
１２ｃ、１２ｃ’、２２ｃ’、３２ｃ、４２ｃ、５２ｃ、５３ｃ、６２ｃ、７２ｃ、７３ｃ、８２ｃ、８３ｃ、９２ｃ、１０２ｃ  基部
１２ｄ  連設張出し部
１２ｅ  補助掛け止め枠部
１３、３３、４５、４６、５５、６４、８６、９５、１０５  ゴミ袋体
１３ａ、３３ａ、４５ａ、５５ａ、６４ａ、８６ａ、１０５ａ  開口周縁部
２２ｅ、６２ｄ、７３ｄ、９２ｄ、１０２ｄ  補助支柱
２２ｆ、７２ｅ、７３ｅ、１０２ｅ  基部補助部材
３２ｈ、４２ｄ、７２ｄ  補強部材
６２ｅ、８２ｄ、８３ｄ  脚部
３２ｇ、９２ｆ、９２ｇ、９２ｈ、９２ｉ  接続管
３３ｂ、６４ｂ、８６ｄ、１０５ｃ  口紐
３３ｃ、６４ｃ、８６ｅ、１０５ｄ  口紐止め
４２ｂ’、８２ｂ’、８３ｂ’  当接部
４３、４３ａ、４３ｂ、４３ｃ、４３ｄ、５４、６３、７４、８５、９３、１０３  嵌脱部材
４３ａ’、４３ｂ’、４３ｂ”、４３ｃ’、４３ｄ’  嵌脱部
４３ｃ”  回動部
４３ｅ  ボルト
４４、９２ｊ、１０２ｆ  取付け部
４６ａ  把持部
６２ｆ、８２ｅ、８３ｅ  滑り止め
６２ｇ  連架保持部
６２ｈ  連架部材
６２ｉ  嵌入部
７３ｆ  水平補強部材
７３ｇ  掛け止め補助フック
８４  基部補助枠
８６ｂ  吊り手
８６ｃ  底部開口部
９２ｅ  補強掛け止め部
９４、１０４  連結用部材
９４ａ、１０４ａ  フック状金具
９４ｂ、１０４ｂ  連結部
１０５ｂ  掛け止め孔
１０５ｅ  下部取付け紐
１０６  ベルト
１０６ａ  フック部
【図１】
2005022785.tif 000003
【図２】
2005022785.tif 000004
【図３】
2005022785.tif 000005
【図４】
2005022785.tif 000006
【図５】
2005022785.tif 000007
【図６】
2005022785.tif 000008
【図７】
2005022785.tif 000009
【図８】
2005022785.tif 000010
【図９】
2005022785.tif 000011
【図１０】
2005022785.tif 000012
【図１１】
2005022785.tif 000013
【図１２】
2005022785.tif 000014
【図１３】
2005022785.tif 000015
【図１４】
2005022785.tif 000016
【図１５】
2005022785.tif 000017
【図１６】
2005022785.tif 000018